【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
アプリケーションを実行する複数のゲーム装置の各々に設置され、電子マネーとして使用される媒体と通信する複数のリーダライタ装置と、
前記媒体によって前記ゲーム装置の利用料金の支払いが可能であるか否かの照合と、前記支払いが可能と判断した場合に前記リーダライタ装置を介して前記媒体に対して行う引き去り処理と、を含む照合処理が完了すると照合完了信号を送信する照合部と、
管理部と、
を備えるゲームシステムであって、
前記照合部は、
照合要求信号を前記リーダライタ装置から受信し、前記リーダライタ装置を介して行われる前記引き去り処理がタイムアウトしたと判断した場合も、前記媒体の媒体情報、及び、前記引き去り処理における処理未了の情報を含む前記照合完了信号を送信し、
前記リーダライタ装置は、
前記媒体から前記媒体情報を受信し、前記媒体情報を前記管理部へ送信し、
前記照合部のアドレスを含む照合先情報を受信し、処理未了通知を受信しなかった場合、前記アドレスへ、前記照合要求信号を送信し、
前記照合先情報、及び、前記処理未了通知を受信した場合、前記照合要求信号を送信せず、前記ゲーム装置に対してアプリケーションの実行を指示し、
前記照合部から前記照合完了信号を受信し、前記照合の結果が前記利用料金の支払いが可能である場合には、前記ゲーム装置に前記アプリケーションの実行を指示し、
前記管理部は、
前記媒体情報及び前記処理未了の有無の情報を対応付けてログに記憶し、
前記ログを参照して、前記媒体情報に対応付けられた情報に前記処理未了が含まれない場合、前記照合部のアドレスを含む前記照合先情報を前記リーダライタ装置へ送信し、
前記ログを参照して、前記媒体情報に対応付けられた情報に前記処理未了が含まれる場合、前記照合先情報、及び、前記処理未了通知を前記リーダライタ装置へ送信する、
ゲームシステム。
【請求項２】
アプリケーションを実行する複数のゲーム装置の各々に設置され、電子マネーとして使用される媒体と通信する複数のリーダライタ装置と、
第１の残高情報が記憶された前記媒体によって前記ゲーム装置の利用料金の支払いが可能であるか否かの照合と、前記支払いが可能と判断した場合に前記リーダライタ装置を介して前記媒体に対して行う引き去り処理と、を含む照合処理が完了すると照合完了信号を送信する照合部と、
管理部と、
を備えるゲームシステムであって、
前記照合部は、
照合要求信号を前記リーダライタ装置から受信し、前記リーダライタ装置を介して行われる前記引き去り処理がタイムアウトしたと判断した場合も、前記媒体の媒体情報、及び、前記引き去り処理における処理未了の情報を含む前記照合完了信号を送信し、
残高照会信号を前記リーダライタ装置から受信すると、当該リーダライタ装置と通信中の前記媒体から第２の残高情報を取得し、前記第２の残高情報を当該リーダライタ装置へ送信し、
前記リーダライタ装置は、
前記媒体から前記媒体情報を受信し、前記媒体情報を前記管理部へ送信し、
前記照合部のアドレスを含む照合先情報を受信し、処理未了通知を受信しなかった場合、前記アドレスへ、前記照合要求信号を送信し、
前記照合部から前記照合完了信号を受信し、前記照合の結果が前記利用料金の支払いが可能である場合には、前記ゲーム装置に前記アプリケーションの実行を指示し、
前記照合先情報、前記第１の残高情報、及び、処理未了通知を前記管理部から受信した場合、前記アドレスに対応する照合部へ、前記照合要求信号を送信せず、前記残高照会信号を送信し、
前記第２の残高情報を前記照合部から受信すると、前記第１の残高情報に示される金額から前記利用料金を減算した金額と、前記第２の残高情報に示される金額とが一致した場合、前記ゲーム装置に対して前記アプリケーションの実行を指示し、
前記管理部は、
前記媒体情報及び前記処理未了の有無の情報を対応付けてログに記憶し、
前記ログを参照して、前記媒体情報に対応付けられた情報に前記処理未了が含まれない場合、前記照合部のアドレスを含む前記照合先情報を前記リーダライタ装置へ送信し、
前記ログを参照して、前記媒体情報に対応付けられた情報に前記処理未了が含まれる場合、前記照合先情報、及び、前記処理未了通知を前記リーダライタ装置へ送信する、
ゲームシステム。
【請求項３】
アプリケーションを実行する複数のゲーム装置の各々に設置され、電子マネーとして使用される媒体と通信する複数のリーダライタ装置と、
第１の残高情報が記憶された前記媒体によって前記ゲーム装置の利用料金の支払いが可能であるか否かの照合と、前記支払いが可能と判断した場合に前記リーダライタ装置を介して前記媒体に対して行う引き去り処理と、を含む照合処理が完了すると照合完了信号を送信する照合部と、
管理部と、
を備えるゲームシステムであって、
前記照合部は、
照合要求信号を前記リーダライタ装置から受信し、前記リーダライタ装置を介して行われる前記引き去り処理がタイムアウトしたと判断した場合も、前記媒体の媒体情報と、前記第１の残高情報から前記利用料金を減算した金額を示す第２の残高情報と、前記引き去り処理における処理未了の情報を含む前記照合完了信号を送信し、
残高照会信号を前記リーダライタ装置から受信すると、当該リーダライタ装置と通信中の前記媒体から第３の残高情報を取得し、前記第３の残高情報を当該リーダライタ装置へ送信し、
前記リーダライタ装置は、
前記媒体から前記媒体情報を受信し、前記媒体情報を前記管理部へ送信し、
前記照合部のアドレスを含む照合先情報を受信し、処理未了通知を受信しなかった場合、前記アドレスへ、前記照合要求信号を送信し、
前記照合部から前記照合完了信号を受信し、前記照合の結果が前記利用料金の支払いが可能である場合には、前記ゲーム装置に前記アプリケーションの実行を指示し、
前記照合先情報、前記第２の残高情報、及び、処理未了通知を前記管理部から受信した場合、前記アドレスに対応する照合部へ、前記照合要求信号を送信せず、前記残高照会信号を送信し、
前記第３の残高情報を前記照合部から受信すると、前記第２の残高情報に示される金額と、前記第３の残高情報に示される金額とが一致した場合、前記ゲーム装置に対して前記アプリケーションの実行を指示し、
前記管理部は、
前記媒体情報及び前記処理未了の有無の情報を対応付けてログに記憶し、
前記ログを参照して、前記媒体情報に対応付けられた情報に前記処理未了が含まれない場合、前記照合部のアドレスを含む前記照合先情報を前記リーダライタ装置へ送信し、
前記ログを参照して、前記媒体情報に対応付けられた情報に前記処理未了が含まれる場合、前記照合先情報、及び、前記処理未了通知を前記リーダライタ装置へ送信する、
ゲームシステム。
【請求項４】
前記ログには、前記媒体情報に対して、更に、補填処理の有無が対応付けられ、
前記リーダライタ装置は、前記ゲーム装置に対して前記アプリケーションの実行を指示すると、該当する前記媒体情報に対する処理結果を前記管理部へ送信し、
前記管理部は、前記処理結果を前記リーダライタ装置から受信すると、前記ログにおいて、該当する前記媒体情報に対応付けられた前記補填処理を実行済みに更新する、
請求項１乃至３に記載のゲームシステム。
【請求項５】
前記ログには、前記媒体情報に対して、更に、補填処理の有無が対応付けられ、
前記管理部は、前記処理未了通知を送信すると、前記ログにおいて、該当する媒体情報に対応付けられた前記補填処理を実行済みに更新する、
請求項１乃至３に記載のゲームシステム。
【請求項６】
請求項１乃至５に記載のゲームシステムに接続されるリーダライタ装置。
【手続補正２】
【補正対象書類名】明細書
【補正対象項目名】発明の名称
【補正方法】変更
【補正の内容】
【発明の名称】ゲームシステム及びリーダライタ装置
【手続補正３】
【補正対象書類名】明細書
【補正対象項目名】０００１
【補正方法】変更
【補正の内容】
【０００１】
本開示は、ゲームシステム及びリーダライタ装置に関する。
【手続補正４】
【補正対象書類名】明細書
【補正対象項目名】０００７
【補正方法】変更
【補正の内容】
【０００７】
本開示の一態様は、電子マネー決済による利用料金支払いに対する照合処理に要する時間を抑えることができるゲームシステム及びリーダライタ装置を提供することである。
【手続補正５】
【補正対象書類名】明細書
【補正対象項目名】０００８
【補正方法】変更
【補正の内容】
【０００８】
本開示の一態様に係るゲームシステムは、アプリケーションを実行する複数のゲーム装置の各々に設置され、電子マネーとして使用される媒体と通信する複数のリーダライタ装置と、前記媒体によって前記ゲーム装置の利用料金の支払いが可能であるか否かの照合と、前記支払いが可能と判断した場合に前記リーダライタ装置を介して前記媒体に対して行う引き去り処理と、を含む照合処理が完了すると照合完了信号を送信する照合部と、管理部と、を備えるゲームシステムであって、前記照合部は、照合要求信号を前記リーダライタ装置から受信し、前記リーダライタ装置を介して行われる前記引き去り処理がタイムアウトしたと判断した場合も、前記媒体の媒体情報、及び、前記引き去り処理における処理未了の情報を含む前記照合完了信号を送信し、前記リーダライタ装置は、前記媒体から前記媒体情報を受信し、前記媒体情報を前記管理部へ送信し、前記照合部のアドレスを含む照合先情報を受信し、処理未了通知を受信しなかった場合、前記アドレスへ、前記照合要求信号を送信し、前記照合先情報、及び、前記処理未了通知を受信した場合、前記照合要求信号を送信せず、前記ゲーム装置に対してアプリケーションの実行を指示し、前記照合部から前記照合完了信号を受信し、前記照合の結果が前記利用料金の支払いが可能である場合には、前記ゲーム装置に前記アプリケーションの実行を指示し、前記管理部は、前記媒体情報及び前記処理未了の有無の情報を対応付けてログに記憶し、前記ログを参照して、前記媒体情報に対応付けられた情報に前記処理未了が含まれない場合、前記照合部のアドレスを含む前記照合先情報を前記リーダライタ装置へ送信し、前記ログを参照して、前記媒体情報に対応付けられた情報に前記処理未了が含まれる場合、前記照合先情報、及び、前記処理未了通知を前記リーダライタ装置へ送信する構成を採る。
【手続補正６】
【補正対象書類名】明細書
【補正対象項目名】０００９
【補正方法】変更
【補正の内容】
【０００９】
本開示の一態様に係るゲームシステムは、アプリケーションを実行する複数のゲーム装置の各々に設置され、電子マネーとして使用される媒体と通信する複数のリーダライタ装置と、第１の残高情報が記憶された前記媒体によって前記ゲーム装置の利用料金の支払いが可能であるか否かの照合と、前記支払いが可能と判断した場合に前記リーダライタ装置を介して前記媒体に対して行う引き去り処理と、を含む照合処理が完了すると照合完了信号を送信する照合部と、管理部と、を備えるゲームシステムであって、前記照合部は、照合要求信号を前記リーダライタ装置から受信し、前記リーダライタ装置を介して行われる前記引き去り処理がタイムアウトしたと判断した場合も、前記媒体の媒体情報、及び、前記引き去り処理における処理未了の情報を含む前記照合完了信号を送信し、残高照会信号を前記リーダライタ装置から受信すると、当該リーダライタ装置と通信中の前記媒体から第２の残高情報を取得し、前記第２の残高情報を当該リーダライタ装置へ送信し、前記リーダライタ装置は、前記媒体から前記媒体情報を受信し、前記媒体情報を前記管理部へ送信し、前記照合部のアドレスを含む照合先情報を受信し、処理未了通知を受信しなかった場合、前記アドレスへ、前記照合要求信号を送信し、前記照合部から前記照合完了信号を受信し、前記照合の結果が前記利用料金の支払いが可能である場合には、前記ゲーム装置に前記アプリケーションの実行を指示し、前記照合先情報、前記第１の残高情報、及び、処理未了通知を前記管理部から受信した場合、前記アドレスに対応する照合部へ、前記照合要求信号を送信せず、前記残高照会信号を送信し、前記第２の残高情報を前記照合部から受信すると、前記第１の残高情報に示される金額から前記利用料金を減算した金額と、前記第２の残高情報に示される金額とが一致した場合、前記ゲーム装置に対してアプリケーションの実行を指示し、前記管理部は、前記媒体情報及び前記処理未了の有無の情報を対応付けてログに記憶し、前記ログを参照して、前記媒体情報に対応付けられた情報に前記処理未了が含まれない場合、前記照合部のアドレスを含む前記照合先情報を前記リーダライタ装置へ送信し、前記ログを参照して、前記媒体情報に対応付けられた情報に前記処理未了が含まれる場合、前記照合先情報、及び、前記処理未了通知を前記リーダライタ装置へ送信する構成を採る。